(57)【要約】【課題】製造プロセスおよび他の業務上の実践などのプロセスの環境影響を決定するための改善されたシステムおよび方法を提供すること。【解決手段】プロセスの環境影響を決定するシステムは、ａ）算出システムであって、該算出システムは、少なくとも１つの中央処理ユニットと、不揮発性ストレージと、読出し専用メモリとを備えている、算出システムと、ｂ）描画システムであって、該描画システムはディスプレイを備えている、描画システムとを備え、ｃ）該算出システムは、環境性能データを受信する手段と、ｄ）該環境性能データを複数の環境性能指標値に変換する手段と、ｅ）該描画システム上に対応する図形的プロセス指標を描画する手段とをさらに備え、ｆ）該図形的プロセス指標は偶数辺の多角形を備え、ｇ）該図形的プロセス指標は複数のセクタに分割され、各セクタは影付きの構成部分を備え、該影付きの構成部分は一環境性能指標の値に対応する。【選択図】図１
2011129119.tif 000002
【特許請求の範囲】
【請求項１】
プロセスの環境影響を決定するシステムであって、
ａ）算出システムであって、該算出システムは、少なくとも１つの中央処理ユニットと、不揮発性ストレージと、読出し専用メモリとを備えている、算出システムと、
ｂ）描画システムであって、該描画システムはディスプレイを備えている、描画システムと
を備え、
ｃ）該算出システムは、環境性能データを受信する手段と、
ｄ）該環境性能データを複数の環境性能指標値に変換する手段と、
ｅ）該描画システム上に対応する図形的プロセス指標を描画する手段と
をさらに備え、
ｆ）該図形的プロセス指標は偶数辺の多角形を備え、
ｇ）該図形的プロセス指標は複数のセクタに分割され、各セクタは影付きの構成部分を備え、該影付きの構成部分は一環境性能指標の値に対応する、システム。
【請求項２】
前記偶数辺の多角形は六角形である、請求項１に記載のシステム。
【請求項３】
前記偶数辺の多角形は八角形またはより多角の多角形である、請求項１に記載のシステム。
【請求項４】
前記複数の環境性能指標値は、
ａ）炭素フットプリントと、
ｂ）電力消費と、
ｃ）天然ガス消費と、
ｄ）水フットプリントと、
ｅ）再生可能な電力の比と、
ｆ）生物分解性の材料の比と
を備えている、請求項１に記載のシステム。
【請求項５】
前記図形的プロセス指標の前記複数のセクタの各セクタは等しいサイズである、請求項１に記載のシステム。
【請求項６】
前記複数のセクタの各セクタは、環境性能指標の重要度ランキングに基づいたサイズにされる、請求項１に記載のシステム。
【請求項７】
データ入手サブシステムをさらに備えている、請求項１に記載のシステム。
【請求項８】
水量メータをさらに備え、該水量メータは、水使用量を前記データ入手サブシステムに報告するように構成および配置される、請求項７に記載のシステム。
【請求項９】
電気メータをさらに備え、該電気メータは、電気使用量を前記データ入手サブシステムに報告するように構成および配置される、請求項７に記載のシステム。
【請求項１０】
ガスメータをさらに備え、該ガスメータは、天然ガス使用量を前記データ入手サブシステムに報告するように構成および配置される、請求項７に記載のシステム。
【請求項１１】
前記図形的プロセス指標は、ローカルのエコ効率を表わす、請求項１に記載のシステム。
【請求項１２】
前記図形的プロセス指標は、グローバルのエコ効率を表わす、請求項１に記載のシステム。
【請求項１３】
前記図形的プロセス指標は、プロジェクトのエコ効率を表わす、請求項１に記載のシステム。
【請求項１４】
プロセスの環境影響を決定する方法であって、
ａ）環境性能データを受信するステップと、
ｂ）該環境性能データを複数の環境性能指標値に変換するステップと、
ｃ）描画システム上に対応する図形的プロセス指標を描画するステップであって、該図形的プロセス指標は偶数辺の多角形を備え、該図形的プロセス指標は複数のセクタに分割され、各セクタは影付きの構成部分を備え、該影付きの構成部分は一環境性能指標の値に対応する、ステップと
を包含する、方法。
【請求項１５】
前記環境性能データを複数の環境性能指標値に変換するステップは、計測された消費率を最大消費率で割り、それによって正規化された環境性能指標を算出することを包含する、請求項１４に記載の方法。
【請求項１６】
前記描画システム上に対応する図形的プロセス指標を描画するステップは、
ａ）各環境性能指標について、複数の管轄区からの前記環境性能指標の順位の逆数の合計を算出することと、
ｂ）各合計をすべての合計の総和で割り、それによって各環境性能指標についての重み係数を算出することと、
ｃ）重み付けされていないセクタの面積に該重み係数を掛け、それによって動的セクタの面積を計算することと、
ｄ）該描画システム上に該動的セクタを描画すること
とを包含する、請求項１４に記載の方法。
【請求項１７】
前記描画システム上に対応する図形的プロセス指標を描画するステップは、前記セクタ内に影付き面積を描画することを包含し、該影付き面積は、前記環境性能指標の値に対応する、請求項１４に記載の方法。
【請求項１８】
ａ）すべてのセクタの総和の面積を算出するステップと、
ｂ）総和の影付き面積を算出するステップと、
ｃ）総和の面積に対する総和の影付き面積の比を算出するステップと、
ｄ）該比を１から引いて、小数の結果を算出するステップと、
ｅ）該小数の結果に百を掛け、それによってローカルのエコ効率値を算出するステップと
をさらに包含する、請求項１７に記載の方法。
【請求項１９】
ａ）複数のローカルのエコ効率値を算出するステップであって、各ローカルのエコ効率値は異なる生産拠点に対応し、各生産拠点は同一分類の製品を生産する、ステップと、
ｂ）該複数のローカルのエコ効率値から１つのローカルのエコ効率値を選択し、該選択されたローカルのエコ効率値を基準のローカルのエコ効率値として指定するステップと、
ｃ）該複数のローカルのエコ効率値のそれぞれと該基準のローカルのエコ効率値との間の差異を算出することによって、各生産拠点についてのローカルのエコ効率デルタを算出するステップと
をさらに包含する、請求項１８に記載の方法。
【請求項２０】
方法を実行するためのコンピュータ実行可能な命令を有するコンピュータ読取り可能な媒体であって、該方法は、
ａ）環境性能データを受信することと、
ｂ）計測された消費率を最大消費率で割り、それによって複数の生の環境性能指標を算出することと、
ｃ）生の環境性能指標のそれぞれに対する重み係数を算出することと、
ｄ）描画システム上に対応する図形的プロセス指標を描画することと
を包含し、該図形的プロセス指標は偶数辺の多角形を備え、該図形的プロセス指標は複数のセクタに分割され、各セクタは影付きの構成部分を備え、該影付きの構成部分は一環境性能指標の値に対応する、コンピュータ読取り可能な媒体。
【請求項２１】
前記描画システム上に対応する図形的プロセス指標を描画するための前記コンピュータ実行可能な命令は、
ａ）重み付けされていないセクタ面積に環境性能指標に対応した重み係数を掛けることによって、複数の環境性能指標のそれぞれについての動的セクタ面積を算出し、
ｂ）影付き面積であって、該影付き面積は該環境性能指標の値に対応する、影付き面積を該セクタ内に描画する
命令を備えている、請求項２０に記載のコンピュータ読取り可能な媒体。
【発明の詳細な説明】
【技術分野】
【０００１】
（発明の分野）
本発明は、プロセスモニタリングに関する。より詳細には、本発明は、プロセスの環境影響を決定するためのシステムおよび方法に関する。
【背景技術】
【０００２】
（背景）
人間の活動に起因して、ＣＯ２濃度は最近１００年間で顕著に増加した。大気中のＣＯ２濃度は、地球温暖化指数（ＧＷＰ）に直結し、環境的影響および社会的影響の両方を有する。
【０００３】
環境問題に焦点を当てると、気候が変動し、特に、持続可能な製造プロセスという概念が将来において益々重要になることを意識する。主要な工業国は現在、環境問題に関する政策を見直しており、特に、米国政府によるこれらの事項に対する一新された位置付けに注目している。現在、以前にも増して、持続可能な製造プロセスという考えが密接に関連している。
【０００４】
組織が持続可能な製造プロセスを追求するとき、経済的利益を増大すること、および環境影響を低減することの両方の要望がある。最も成功した会社は、ゆくゆくは、生産高および環境効率の両方を最適化する会社であろう。
【発明の概要】
【発明が解決しようとする課題】
【０００５】
したがって、要望されるものは、製造プロセスおよび他の業務上の実践などのプロセスの環境影響を決定するための改善されたシステムおよび方法である。
【課題を解決するための手段】
【０００６】
本発明の一実施形態において、プロセスの環境影響を決定するシステムであって、
ａ）算出システムであって、算出システムは、少なくとも１つの中央処理ユニットと、不揮発性ストレージと、読出し専用メモリとを備える、算出システムと、
ｂ）描画システムであって、描画システムはディスプレイを備える、描画システムと
を備え、
ｃ）算出システムは、環境性能データを受信する手段と、
ｄ）環境性能データを複数の環境性能指標値に変換する手段と、
ｅ）描画システム上に対応する図形的プロセス指標を描画する手段であって、図形的プロセス指標は偶数辺の多角形を備える、手段とをさらに備え、
ｆ）図形的プロセス指標は複数のセクタに分割され、各セクタは影付きの構成部分を備え、影付きの構成部分は一環境性能指標の値に対応する、
システムが提供される。
【０００７】
本発明の別の実施形態において、偶数辺の多角形は六角形である、システムが提供される。
【０００８】
本発明の別の実施形態において、偶数辺の多角形は八角形またはより多角の多角形である、システムが提供される。
【０００９】
本発明の別の実施形態において、複数の環境性能指標値は、
ａ）炭素フットプリントと、
ｂ）電力消費と、
ｃ）天然ガス消費と、
ｄ）水フットプリントと、
ｅ）再生可能な電力の比と、
ｆ）生物分解性の材料の比と
を備える、システムが提供される。
【００１０】
本発明の別の実施形態において、図形的プロセス指標の複数のセクタの各セクタは等しいサイズである、システムが提供される。
【００１１】
本発明の別の実施形態において、複数のセクタの各セクタは、環境性能指標の重要度ランキングに基づいたサイズにされる、システムが提供される。
【００１２】
本発明の別の実施形態において、データ入手サブシステムをさらに備えるシステムが提供される。
【００１３】
本発明の別の実施形態において、水量メータをさらに備えるシステムが提供され、この水量メータは、水使用量をデータ入手サブシステムに報告するように構成および配置される。
【００１４】
本発明の別の実施形態において、電気メータをさらに備えるシステムが提供され、この電気メータは、電気使用量をデータ入手サブシステムに報告するように構成および配置される。
【００１５】
本発明の別の実施形態において、ガスメータをさらに備えるシステムが提供され、このガスメータは、天然ガス使用量をデータ入手サブシステムに報告するように構成および配置される。
【００１６】
本発明の別の実施形態において、図形的プロセス指標はローカルのエコ効率を表わす、システムが提供される。
【００１７】
本発明の別の実施形態において、図形的プロセス指標はグローバルのエコ効率を表わす、システムが提供される。
【００１８】
本発明の別の実施形態において、図形的プロセス指標はプロジェクトのエコ効率を表わす、システムが提供される。
【００１９】
本発明の別の実施形態において、プロセスの環境影響を決定する方法であって、
ａ）環境性能データを受信するステップと、
ｂ）環境性能データを複数の環境性能指標値に変換するステップと、
ｃ）描画システム上に対応する図形的プロセス指標を描画するステップであって、図形的プロセス指標は偶数辺の多角形を備える、ステップとを包含し、
ｄ）図形的プロセス指標は複数のセクタに分割され、
ｅ）各セクタは影付きの構成部分を備え、影付きの構成部分は一環境性能指標の値に対応する、
方法が提供される。
【００２０】
本発明の別の実施形態において、環境性能データを複数の環境性能指標値に変換するステップは、計測された消費率を最大消費率で割り、それによって正規化された環境性能指標を算出することを包含する、方法が提供される。
【００２１】
本発明の別の実施形態において、描画システム上に対応する図形的プロセス指標を描画するステップは、
ａ）各環境性能指標について、複数の管轄区からの環境性能指標の順位の逆数の合計を算出することと、
ｂ）各合計をすべての合計の総和で割り、それによって各環境性能指標についての重み係数を算出することと、
ｃ）重み付けされていないセクタの面積に重み係数を掛け、それによって動的セクタの面積を計算することと、
ｄ）描画システム上に動的セクタを描画することと
を包含する、方法が提供される。
【００２２】
本発明の別の実施形態において、描画システム上に対応する図形的プロセス指標を描画するステップは、セクタ内に影付き面積を描画することを包含し、影付き面積は環境性能指標の値に対応する、方法が提供される。
【００２３】
本発明の別の実施形態において、
ａ）すべてのセクタの総和の面積を算出するステップと、
ｂ）総和の影付き面積を算出するステップと、
ｃ）総和の面積に対する総和の影付き面積の比を算出するステップと、
ｄ）該比を１から引いて、小数の結果を算出するステップと、
ｅ）小数の結果に百を掛け、それによってローカルのエコ効率値を算出するステップと
をさらに包含する方法が提供される。
【００２４】
本発明の別の実施形態において、
ａ）複数のローカルのエコ効率値を算出するステップであって、各ローカルのエコ効率値は異なる生産拠点に対応し、各生産拠点は同一製品を生産する、ステップと、
ｂ）複数のローカルのエコ効率値から１つのローカルのエコ効率値を選択し、選択されたローカルのエコ効率値を基準のローカルのエコ効率値として指定するステップと、
ｃ）複数のローカルのエコ効率値のそれぞれと基準のローカルのエコ効率値との間の差異を算出することによって、各生産拠点についてのローカルのエコ効率デルタを算出するステップと
をさらに包含する方法が提供される。
【００２５】
本発明の別の実施形態において、方法を実行するためのコンピュータ実行可能な命令を有するコンピュータ読取り可能な媒体であって、この方法は、
ａ）環境性能データを受信することと、
ｂ）計測された消費率を最大消費率で割り、それによって複数の生の環境性能指標を算出することと、
ｃ）生の環境性能指標のそれぞれに対する重み係数を算出することと、
ｄ）描画システム上に対応する図形的プロセス指標を描画することとを包含し、図形的プロセス指標は偶数辺の多角形を備え、
ｅ）図形的プロセス指標は複数のセクタに分割され、
ｆ）各セクタは影付きの構成部分を備え、影付きの構成部分は一環境性能指標の値に対応する、
コンピュータ読取り可能な媒体が提供される。
【００２６】
本発明の別の実施形態において、コンピュータ読取り可能な媒体が提供され、ここで、描画システム上に対応する図形的プロセス指標を描画するためのコンピュータ実行可能な命令は、
ａ）重み付けされていないセクタ面積に環境性能指標に対応した重み係数を掛けることによって、複数の環境性能指標のそれぞれについての動的セクタ面積を算出し、
ｂ）影付き面積であって、影付き面積は該環境性能指標の値に対応する、影付き面積をセクタ内に描画する
ための命令を備える。
【００２７】
以上により、本発明は、以下の手段を提供する。
【００２８】
（項目１）  
プロセスの環境影響を決定するシステムであって、
ａ）算出システムであって、該算出システムは、少なくとも１つの中央処理ユニットと、不揮発性ストレージと、読出し専用メモリとを備えている、算出システムと、
ｂ）描画システムであって、該描画システムはディスプレイを備えている、描画システムと
を備え、
ｃ）該算出システムは、環境性能データを受信する手段と、
ｄ）該環境性能データを複数の環境性能指標値に変換する手段と、
ｅ）該描画システム上に対応する図形的プロセス指標を描画する手段と
をさらに備え、
ｆ）該図形的プロセス指標は偶数辺の多角形を備え、
ｇ）該図形的プロセス指標は複数のセクタに分割され、各セクタは影付きの構成部分を備え、該影付きの構成部分は一環境性能指標の値に対応する、システム。
【００２９】
（項目２）  
上記偶数辺の多角形は六角形である、項目１に記載のシステム。
【００３０】
（項目３）  
上記偶数辺の多角形は八角形またはより多角の多角形である、上記項目のうちのいずれか１項に記載のシステム。
【００３１】
（項目４）  
上記複数の環境性能指標値は、
ａ）炭素フットプリントと、
ｂ）電力消費と、
ｃ）天然ガス消費と、
ｄ）水フットプリントと、
ｅ）再生可能な電力の比と、
ｆ）生物分解性の材料の比と
を備えている、上記項目のうちのいずれか１項に記載のシステム。
【００３２】
（項目５）  
上記図形的プロセス指標の上記複数のセクタの各セクタは等しいサイズである、上記項目のうちのいずれか１項に記載のシステム。
【００３３】
（項目６）  
上記複数のセクタの各セクタは、環境性能指標の重要度ランキングに基づいたサイズにされる、上記項目のうちのいずれか１項に記載のシステム。
【００３４】
（項目７）  
データ入手サブシステムをさらに備えている、上記項目のうちのいずれか１項に記載のシステム。
【００３５】
（項目８）  
水量メータをさらに備え、該水量メータは、水使用量を上記データ入手サブシステムに報告するように構成および配置される、上記項目のうちのいずれか１項に記載のシステム。
【００３６】
（項目９）  
電気メータをさらに備え、該電気メータは、電気使用量を上記データ入手サブシステムに報告するように構成および配置される、上記項目のうちのいずれか１項に記載のシステム。
【００３７】
（項目１０）  
ガスメータをさらに備え、該ガスメータは、天然ガス使用量を上記データ入手サブシステムに報告するように構成および配置される、上記項目のうちのいずれか１項に記載のシステム。
【００３８】
（項目１１）  
上記図形的プロセス指標は、ローカルのエコ効率を表わす、上記項目のうちのいずれか１項に記載のシステム。
【００３９】
（項目１２）  
上記図形的プロセス指標は、グローバルのエコ効率を表わす、上記項目のうちのいずれか１項に記載のシステム。
【００４０】
（項目１３）  
上記図形的プロセス指標は、プロジェクトのエコ効率を表わす、上記項目のうちのいずれか１項に記載のシステム。
【００４１】
（項目１４）  
プロセスの環境影響を決定する方法であって、
ａ）環境性能データを受信するステップと、
ｂ）該環境性能データを複数の環境性能指標値に変換するステップと、
ｃ）描画システム上に対応する図形的プロセス指標を描画するステップであって、該図形的プロセス指標は偶数辺の多角形を備え、該図形的プロセス指標は複数のセクタに分割され、各セクタは影付きの構成部分を備え、該影付きの構成部分は一環境性能指標の値に対応する、ステップと
を包含する、方法。
【００４２】
（項目１５）  
上記環境性能データを複数の環境性能指標値に変換するステップは、計測された消費率を最大消費率で割り、それによって正規化された環境性能指標を算出することを包含する、上記項目のうちのいずれか１項に記載の方法。
【００４３】
（項目１６）  
上記描画システム上に対応する図形的プロセス指標を描画するステップは、
ａ）各環境性能指標について、複数の管轄区からの上記環境性能指標の順位の逆数の合計を算出することと、
ｂ）各合計をすべての合計の総和で割り、それによって各環境性能指標についての重み係数を算出することと、
ｃ）重み付けされていないセクタの面積に該重み係数を掛け、それによって動的セクタの面積を計算することと、
ｄ）該描画システム上に該動的セクタを描画すること
とを包含する、上記項目のうちのいずれか１項に記載の方法。
【００４４】
（項目１７）  
上記描画システム上に対応する図形的プロセス指標を描画するステップは、上記セクタ内に影付き面積を描画することを包含し、該影付き面積は、上記環境性能指標の値に対応する、上記項目のうちのいずれか１項に記載の方法。
【００４５】
（項目１８）  
ａ）すべてのセクタの総和の面積を算出するステップと、
ｂ）総和の影付き面積を算出するステップと、
ｃ）総和の面積に対する総和の影付き面積の比を算出するステップと、
ｄ）該比を１から引いて、小数の結果を算出するステップと、
ｅ）該小数の結果に百を掛け、それによってローカルのエコ効率値を算出するステップと
をさらに包含する、上記項目のうちのいずれか１項に記載の方法。
【００４６】
（項目１９）  
ａ）複数のローカルのエコ効率値を算出するステップであって、各ローカルのエコ効率値は異なる生産拠点に対応し、各生産拠点は同一分類の製品を生産する、ステップと、
ｂ）該複数のローカルのエコ効率値から１つのローカルのエコ効率値を選択し、該選択されたローカルのエコ効率値を基準のローカルのエコ効率値として指定するステップと、
ｃ）該複数のローカルのエコ効率値のそれぞれと該基準のローカルのエコ効率値との間の差異を算出することによって、各生産拠点についてのローカルのエコ効率デルタを算出するステップと
をさらに包含する、上記項目のうちのいずれか１項に記載の方法。
【００４７】
（項目２０）  
方法を実行するためのコンピュータ実行可能な命令を有するコンピュータ読取り可能な媒体であって、該方法は、
ａ）環境性能データを受信することと、
ｂ）計測された消費率を最大消費率で割り、それによって複数の生の環境性能指標を算出することと、
ｃ）生の環境性能指標のそれぞれに対する重み係数を算出することと、
ｄ）描画システム上に対応する図形的プロセス指標を描画することと
を包含し、該図形的プロセス指標は偶数辺の多角形を備え、該図形的プロセス指標は複数のセクタに分割され、各セクタは影付きの構成部分を備え、該影付きの構成部分は一環境性能指標の値に対応する、コンピュータ読取り可能な媒体。
【００４８】
（項目２１）  
上記描画システム上に対応する図形的プロセス指標を描画するための上記コンピュータ実行可能な命令は、
ａ）重み付けされていないセクタ面積に環境性能指標に対応した重み係数を掛けることによって、複数の環境性能指標のそれぞれについての動的セクタ面積を算出し、
ｂ）影付き面積であって、該影付き面積は該環境性能指標の値に対応する、影付き面積を該セクタ内に描画する
命令を備えている、上記項目のうちのいずれか１項に記載のコンピュータ読取り可能な媒体。
【００４９】
（摘要）
プロセスの環境影響を決定するためのシステムおよび方法が開示され、このシステムおよび方法において、資源は別個の環境性能指標（「ＥＰＩ」）へ分類される。ＥＰＩのうちのいくつかは、完成品生産高（ＦＰＶ）毎に使用された資源の量に基づいて導かれる値ＥＰＩであり、ＦＰＶは、プロセスによって生産された製品の量を表わす。他のＥＰＩは百分率ＥＰＩであり、百分率ＥＰＩは、効率の尺度を表わし、使用された総和の資源の百分率として、使用された再生可能な資源の量から導かれる。ＥＰＩの図形的表現は、特定のプロセスまたはプロセスのグループの環境への優しさの迅速な視覚的解釈を可能にし、および、２つの異なるプロセス間の視覚的な比較を可能にする。
【図面の簡単な説明】
【００５０】
本発明の構造、動作、および利点は、添付の図面に関連付けられた以下の記載の考察によって、さらに明白になろう。図面は例示的であって、限定的ではないことが意図されている。
【００５１】
以下の記載に付随する図面において、参照番号および符号（ラベル、本文記述）の両方が要素を識別するのに使用され得る。符号が提供される場合、それらは単に読者に対する支援として意図されており、如何様においても限定的に解釈されるべきではない。
【図１】図１は、本発明の一実施形態に従ったシステムのブロックダイヤグラムを示す。
【図２】図２は、図形的プロセス指標の一実施形態を示す。
【図３】図３は、図形的プロセス指標の代替の実施形態を示す。
【図４】図４は、図形的プロセス指標の別の代替の実施形態を示す。
【図５】図５は、複数の図形的プロセス指標を表示しているコンピュータ画面を示す。
【図６】図６は、本発明の代替の実施形態に従ったシステムのブロックダイヤグラムを示す。
【図７】図７は、本発明の一実施形態に従った方法を実行するためのプロセスステップを示すフローチャートである。
【図８】図８は、本発明の一実施形態によって生成される数値報告の例を示す。
【発明を実施するための形態】
【００５２】
（詳細な説明）
本発明の実施形態は、プロセスの環境影響を決定するためのシステムおよび方法を提供する。例えば、製造プロセスは複数の資源を使用する。本発明の実施形態は、これらの資源を別個の環境性能指標（ＥＰＩ）へ分類する。いくつかのＥＰＩは、完成品生産高（ＦＰＶ）毎に使用された資源の量に基づいて導かれる値ＥＰＩであり、ＦＰＶは、プロセスによって生産された製品の量を表わす。他のＥＰＩは、使用された総和の資源の百分率として、使用された再生可能な資源の量から導かれる百分率ＥＰＩである。ＥＰＩの例示のリストが以下に提供される。
【００５３】
【表１】
2011129119.tif 000003
ＣＦＰ（炭素フットプリント）は、特定製品の実現（通常は原料の抽出から）に関連付けられたＣＯ２の量を表わす。ＥＰＣ（電力消費）は、プロセスによって作製された製品の単位当たりの、そのプロセスによって使用された電気の量を表わす。ＮＧＣ（天然ガス消費）は、プロセスによって作製された製品の単位当たりの、そのプロセスによって使用された天然ガスの量を表わす。ＷＦＰ（水フットプリント）は、プロセスによって作製された製品の単位当たりの、そのプロセスによって使用された水の量を表わす。ＲＰＲ（再生可能な電力の率）は、例えば、風、水力発電、太陽などの再生可能な供給源に由来して使用された電力（購買および自己生産の両方）の百分率を表わす。ＢＭＲ（生体材料率）は、プロセスにおいて使用された生物分解性材料の百分率を表わす。ＣＦＰ、ＥＰＣ，ＮＧＣおよびＷＦＰは、それらがＦＰＶに基づいた値を有するので、値ＥＰＩとして参照される。ＲＰＲおよびＢＭＲは、それらが特定の資源の総和の使用量の百分率に基づいているので、百分率ＥＰＩとして参照される。
【００５４】
上述のＥＰＩのグループは限定的であるように意図されておらず、本発明の範囲および目的から逸脱することなく、他のＥＰＩがあり得る。本発明の実施形態は、見かけ上まったく異なるＥＰＩのデータを図形的な形式へ変換し、図形的な形式は、生産拠点でのプロセスの環境影響を素早く査定するために、使用者によって一瞥され得る。さらには、本発明の実施形態はまた、類似のプロセスを介して同一分類の製品を作製する複数の工場など、生産拠点のグループの査定を提供し、また、同一分類の製品を作製するための２つ以上の異なる製品またはプロセスを比較する、製品エコ効率の査定を提供する。
【００５５】
ここで図面を参照すると、図１は、本発明の一実施形態に従ったシステム１００のブロックダイヤグラムを示す。集成されたデータ１０２、および／またはデータ入手サブシステム１０４からのデータは、算出システム１０６に入力される。集成されたデータ１０２、およびデータ入手サブシステム１０４からのデータは、様々なＥＰＩを含む。算出システム１０６は、ＥＰＩを新規の図形的出力に変換し、この図形的出力は、生産拠点またはプロセスの環境効率（エコ効率）を査定するための簡便かつ効率的な手法を使用者に提供する。
【００５６】
ＢＭＲなどのいくつかのＥＰＩは、集成されたデータ１０２に含まれ得る。水使用量などのパラメータはリアルタイムに計測可能であるので、ＷＦＰなどの他のＥＰＩは、データ入手サブシステム１０４から供給され得る。一実施形態において、すべてのＥＰＩは集成されたデータ１０２に含まれ、しかるに、データ入手サブシステム１０４はその実施形態において要求されない。
【００５７】
ＥＰＣ、ＮＧＣ、ＷＦＰ、ＢＭＲなどのＥＰＩは、リアルタイムに計測可能なデータを使用して計算され得る。電力、天然ガス、再生可能な材料、および水の消費のデータは、しばしば生産拠点でリアルタイムに計測可能であり、しかるに、データ入手サブシステム１０４によって入手され得る。実際に、ＣＦＰおよびＲＰＲなどの他のＥＰＩは、好ましくはハンドブックなどの科学文献からのデータに基づいて計算され、集成されたデータ１０２の部分として含まれる。集成されたデータの例は、ポリプロリレンのｋｇ当たりの生産に対する排出、または、イタリアにおける発電に対する再生可能な供給源の百分率などの事項を含み得る。
【００５８】
各値ＥＰＩを計算した後、ＥＰＩｋの各値は下記のように正規化される。
【００５９】
【数１】
2011129119.tif 000004
Ｓｋは特定のＥＰＩの実際値である。Ｒｋは実行されている解析のタイプに基づいて選択される。例えば、製造プラントまたは加工プラントを考慮する場合、特定の期間におけるすべてのプラントの指数の平均値、合計値、または最大値である。このようにして、空間と時間の両方において、異なるプラントを比較することが可能である。他方、２つの異なるプロジェクトを比較する場合、基準として、各影響の分類についての指数の最悪値を考慮する。Ｎｋ項の値を１．０以下に制限するには、Ｒｋは、考えられ得る最高のＳｋよりも常に大きいように選択されるべきである。
【００６０】
Ｎｋ項の値を１．０以下に制限するために、Ｒｋは、考えられ得る最高のＳｋよりも常に大きくあるべきである。明らかに、２つの異なるプロジェクトを比較する場合、このことは問題ではない。その代わり、プラントの１つまたはグループを研究している場合、Ｓｋ＞Ｒｋという最悪の状況にあり得、そのエコ効率を負にさせ得る。この場合、ツールはエコ効率に対して自動的に零値をセットする。
【００６１】
したがって、Ｒｋは、特定のＥＰＩについての理論上または実際上の最大値である。
【００６２】
Ｎｋ項が計算された後、値効率Ｖｅは、下記の、
Ｖｅ＝１００−１００×Ｎｋ
のように計算される。
【００６３】
このステップは百分率ＥＰＩ（例えば、ＲＰＲおよびＢＭＲ）には必要でない。なぜならば、それらは本質的に既に百分率の形式にあるからである。百分率ＥＰＩについてのＶｅを算出するために使用される、
Ｖｅ＝１００×Ｓｋ
とする第２の形式の式がある。
【００６４】
値効率および百分率ＥＰＩのそれぞれは、偶数辺の多角形からなる図形的進捗指標において図形的に表わされる。多角形はセグメントに分割され、各セグメントは特定のＥＰＩを表わす。好ましい一実施形態において、この多角形は、描画システム１０８を介してコンピュータ画面上に描画される。描画システム１０８は、多角形を描画するためにディスプレイとグラフィクスプロセッサとを備え得る。
【００６５】
図２は、図形的プロセス指標２００の一実施形態を示す。図形的プロセス指標（ＧＰＩ）２００は六角形であり、この六角形は、等しいサイズにされたセグメント（総じて２０２として参照され、図２において２０２Ａ〜２０２Ｆとして示される）に分割されている。これは固定セクタＧＰＩとして参照される。各セクタ２０２は、無地面積２０４と影付き面積２０６とを有する（２０４Ａ〜２０４Ｆ、および２０６Ａ〜２０６Ｆとして示される）。影付き面積２０６は、所与のＥＰＩについてのＶｅを表わす。影付き面積２０６によって占有されたセクタ２０２の百分率は、所与のＥＰＩについてのＶｅと同一の値である。したがって、図２に示されるＧＰＩのようなＧＰＩを描画することによって、ＥＰＩデータは、人間によって素早く簡便に解釈される形式へ変換される。影付き面積２０６が大きいほど、プロセスがより効率的であることを指示する。理想的な場合において、ＧＰＩは完全に影が付けられ、各ＥＰＩが１００％の効率で動作していることを指示する。実際の場合において、影付き面積２０６を最大化することが所望される。
【００６６】
図２の例において、下記の、
−  セクタ２０２Ａは、ＣＦＰ（炭素フットプリント）を表わし、
−  セクタ２０２Ｂは、ＥＰＣ（電力消費）を表わし、
−  セクタ２０２Ｃは、ＮＧＣ（天然ガス消費）を表わし、
−  セクタ２０２Ｄは、ＷＦＰ（水フットプリント）を表わし、
−  セクタ２０２Ｅは、ＲＰＲ（再生可能な電力の率）を表わし、
−  セクタ２０２Ｆは、ＢＭＲ（生体材料率）を表わす、
関係を考慮する。
【００６７】
ここでＧＰＩ２００を参照すると、影付き面積２０６Ｄが殆ど全体のセクタ２０２Ｄを占有しているので、プロセスは、水フットプリントに関して大変効率的であることが素早く推察され得る。反対に、影付き面積２０６Ｃはセクタ２０２Ｃの優位を占有しておらず、セクタ内にかなりの影付きでない面積２０４Ｃがあるので、天然ガス消費において、かなりの改善の余地があることが推察され得る。かなりの影付きでない面積２０４を有するセクタ２０２は、潜在的な改善面積を表わす。ＧＰＩ２００は、影付き面積２０６に対して多様な塗り潰しパターンを示しているが、図形的パターンの代わりに、または図形的パターンに追加して色を使用することもまた意図され、本発明の範囲内にあることに留意する。
【００６８】
図３は、図形的プロセス指標３００の代替の実施形態を示す。これは動的セクタＧＰＩとして参照される。この実施形態において、各セクタのサイズ（総じて３０２として参照され、図３において３０２Ａ〜３０２Ｆとして示される）は、対応するＥＰＩの計算された重み係数に基づいて変化し得る。重み係数は、特定のＥＰＩの重要度を反映し、社会的、政治的、および倫理的な値の選定などの主観的要因に基づき得る。例えば、水が不足している地理的地域において、水が豊富な地理的地域と比べて、ＷＦＰ（水フットプリント）はより大きな重み係数（より高い重要度）を有し得る。重み係数が幾分主観的であるならば、本発明の実施形態は、より客観的に重み係数を選択するために下記の式を使用する。
【００６９】
【数２】
2011129119.tif 000005
上記の式において、Ｗｋは分類ｋに対する重み係数である（ここでｋは、ＷＦＰ、ＮＧＣ、その他などのＥＰＩ分類から選択される）。ランキングは、例えばＧ２０国家など、グローバルの管轄区からのデータに基づく。ｒａｎｋｉｎｇｉ，ｋは、分類ｋについての国家ｉの世界位置を表わす。複数の管轄区からの環境性能指標の順位の逆数の合計を算出した後、各合計をすべての合計の総和で割ることによって、各ＥＰＩに対する重み係数が計算される。
【００７０】
例えば、一社が３つの異なる生産拠点（米国、中国、イタリア）を有する場合の３カ国を考察し、特定のＥＰＩ（例えば、ＣＯ２排出に関連したＣＦＰ）を考察する。利用可能かつ世界的に認知されたデータを使用すると、「１人当たりのＣＯ２排出」との表明に従った国家の世界位置を知ることが可能であり、
１人当たりのＣＯ２排出：
中国−第３位
米国−第４位
イタリア−第１０位
となる。
【００７１】
この場合において、重み係数の式の分子（Ｗｉ）の算出は、下記の、
Ｗｉ（ＣＦＰ）＝１／３＋１／４＋１／１０＝０．６８
となる。
【００７２】
このステップは、各ＥＰＩについて繰り返され（例示の目的のため、この場合において、ＣＦＰ、ＮＧＣ、およびＥＰＣの３つのＥＰＩのみが考察される）、
１人当たりの電力消費：
中国−第７位
米国−第２位
イタリア−第５位
Ｗｉ（ＥＰＣ）＝１／７＋１／２＋１／５＝０．８４
１人当たりの天然ガス消費：
中国−第１１位
米国−第６位
イタリア−第３位
Ｗｉ（ＮＧＣ）＝１／１１＋１／６＋１／３＝０．５９
となる。
【００７３】
その後、これらのＥＰＩについてのＷｋは、下記の、
Ｗｋ（ＣＦＰ）＝０．６８／（０．６８＋０．８４＋０．５９）＝０．３２
Ｗｋ（ＥＰＣ）＝０．８４／（０．６８＋０．８４＋０．５９）＝０．４０
Ｗｋ（ＮＧＣ）＝０．５９／（０．６８＋０．８４＋０．５９）＝０．２８
となる。
【００７４】
特定のＥＰＩについて十分なランキングデータが利用可能でない場合、他のＥＰＩデータの平均ランキングが使用され得る。
【００７５】
その後、上記の計算されたＷｋ値は、動的セクタＧＰＩを描画するために、下記の、
Ｗｋ（ＣＦＰ）＝０．３２／０．４０＝０．８
Ｗｋ（ＥＰＣ）＝０．４０／０．４０＝１
Ｗｋ（ＮＧＣ）＝０．２８／０．４０＝０．７
のように正規化される（最大のＷｋが単位値となる）。
【００７６】
この場合において、ＥＰＣを表わすＧＰＩ動的セクタが最も大きく、ＮＧＣを表わすセクタが最も小さく、最も大きいセクタの０．７のサイズで描画される。動的セクタのサイズは、重み付けされていない（フルサイズの）セクタの面積に重み係数を掛けることによって導かれる。上記の例において３つのＥＰＩのみが算出されたが、大抵の場合、環境効率を査定するために６つの前記のＥＰＩが使用される。
【００７７】
再び図３を参照し、セクタ３０２ＦはＥＰＣを表わし、セクタ３０２ＡはＷＦＰを表わすと仮定する。ＧＰＩ３００から、セクタ３０２Ａ（ＷＦＰを表わす）はセクタ３０２Ｆ（ＥＰＣを表わす）よりもかなり小さいので、この特定の例について、ＥＰＣ（電力消費）はＷＦＰ（水フットプリント）よりも重要性が大きいことが素早く推察され得る。
【００７８】
プロセスの特定の実例（例えば、特定の製造プラント）の環境効率は、ローカルのエコ効率（ＬＥＥ）として参照される。ＬＥＥは、セクタの総和の面積（３０２Ａ〜３０２Ｆ）内における無地の面積（３０４Ａ〜３０４Ｆ）の百分率を算出することによって算出される。影付き面積は総和の面積で割られ、小数の結果を得る。その後、小数の結果は、１から引かれ、ＬＥＥを算出するために１００が掛けられる。数学的に、これは、下記のように表わされる。
【００７９】
【数３】
2011129119.tif 000006
図４は、図形的プロセス指標４００の別の代替の実施形態を示す。このＧＰＩは、固定セクタ８辺多角形（八角形）である。２つの追加のＥＰＩが使用される場合、ＥＰＩデータを図形的表現に変換するために、図４中の４００として示されるようなＧＰＩが使用され得る。このＧＰＩは８つのセクタを有する（４０２Ａ〜４０２Ｈ）。動的セクタ８辺多角形（示されていない）を使用することもまた意図されている。他のＥＰＩは、土地利用、廃水量、および固形廃棄物量などの要因を含み得るが、これらに限定されない。
【００８０】
前記のＬＥＥは、例えば、タイヤを製造する特定のプラントなど、プロセスの特定の実例の環境効率（エコ効率）を定量化する。ここで、同一製品（この場合はタイヤ）を生産している複数の地理的に異なるプラントの場合を考察する。この製品の製造がグローバルレベルでどのくらい環境に優しいかを計測することが望ましい。同一製品を生産するＸ個のプラントの広範囲なセットを評価するグローバルのエコ効率（ＧＥＥ）値が算出される。ＧＥＥについての一般的な式は下記のようになる。
【００８１】
【数４】
2011129119.tif 000007
ＧＥＥｋは、ＥＰＩｋについてのグローバルのエコ効率を表わす。Ｎｋ，ｉは、所与のプラントでの所与のＥＰＩについての正規化された値である。ＦＰＶｉは、完成品生産高、つまりプラントｉでのプロセスからの生産高である。タイヤの例において、ＦＰＶは、例えば、タイヤの数、またはタイヤ製品の重量などによって、タイヤの生産高で計測され得る。
【００８２】
例えば、３つの分離したプラントで生産される製品に対して、ＣＦＰについてのＧＥＥを算出することが所望され、このとき、式は下記のようになる。
【００８３】
【数５】
2011129119.tif 000008
その後、各ＥＰＩ（例えば、ＣＦＰ、ＷＦＰ、ＮＧＣ、ＥＰＣ、ＢＭＲ、およびＲＰＲ）についてのＧＥＥ値が図形的プロセス指標で表わされ、それによって、製品のグローバルのエコ効率を表わすＧＥＥが素早く確認され得る。
【００８４】
ＧＥＥは、同一製品を生産することの複数の実例を比較するために使用される。しかしながら、２つの異なる製品（プロジェクト）の環境影響を比較することが時々望ましい。２つの異なるプロジェクトを比較するために、プロジェクトエコ効率（ＰＥＥ）が使用される。環境効率を（Ｒｋ係数の選択に依存して）絶対的に記述するＧＥＥおよびＬＥＥと異なり、ＰＥＥは、相対的に２つの代替ＱとＲとの間の比較を可能にする。ＰＥＥ計算を表わす図形的プロセス指標についての所与のセクタについての影付き面積は、下記のように算出される。
【００８５】
【数６】
2011129119.tif 000009
ＡＱ，ｋｓｈａｄｅｄは、分類ｋについての代替Ｑの影付き面積を表わす。Ａはフルサイズのセクタの全体の面積である。Ｗｋは、分類ｋ（例えば、ＥＰＣ、ＷＦＰ、その他）に対する重み係数である。Ｉｋ，Ｑは、代替Ｑについての分類ｋの指数である。Ｉｋ，Ｒは、代替Ｒについての分類ｋの指数であり、Ｉｋ，Ｒ＞Ｉｋ，Ｑである。
【００８６】
複数の生産拠点で生産される製品について、各生産拠点についてのＬＥＥ値を算出し、生産拠点のうちの１つを基準拠点として選択し、それから、基準ＬＥＥと特定の生産拠点のＬＥＥとの間の差異を算出することによって、基準拠点に対して残りの生産拠点を比較することが可能である。考察される生産拠点と基準生産拠点との間のＬＥＥデルタ（ΔＬＥＥ）は、同一製品を作製している複数の生産施設を比較するための方法論を提供する。このタイプの解析に対して、各Ｒｋ係数に１をセットすることにより、特定のＲｋを選択するステップを回避することが可能である。各ＬＥＥの算出に対してＲｋ＝１により、様々な生産拠点が相互に素早く簡便に比較され得る。
【００８７】
唯一のＥＰＩが関心である場合のプロジェクトに対して、関心のＥＰＩのＷｋを１に等しいようにセットし、すべての他のＷｋを零に等しいようにセットすることが可能である。例えば、電力消費の影響を調査することのみが所望される場合ならば、ＷＥＰＣ＝１、かつ、他のＷｋを零に等しいようにセットすることが可能である。審査されている分類に対して同一のＷｋ係数が使用される限り、２つ以上のプロジェクトが比較され得る。
【００８８】
図５は、描画システム（図１の１０８）の部分として、複数のＧＰＩを表示しているコンピュータディスプレイ５００を示す。ＧＰＩ  ５０２Ａ、５０２Ｂ、および５０２Ｃは、同一製品を作製している３つの地理的位置におけるプラントについてのローカルのエコ効率（ＬＥＥ）を示す。ＧＰＩ５０４は、その製品についてのグローバルのエコ効率（ＧＥＥ）を示す。ＧＰＩ５０６は、２つの異なる製品についてのＰＥＥを示す。このようにして、会社の役員および政府機関などの利害関係者は、製造プロセスなどのプロセスの環境影響を素早く簡便に査定し得る。
【００８９】
図６は、本発明の代替の実施形態に従ったシステム６００のブロックダイヤグラムを示す。この実施形態において、データ入手システム６０４は、水量メータ６２２、電気メータ６２４、および天然ガスメータ６２６からリアルタイムにデータを受信する。このようにして、これらのＥＰＩについての図形的表現がほぼリアルタイムに更新され得る。他のＥＰＩデータは、集成されたデータ６０２の部分としてシステム６００に入力され得る。これは、例えば、ＢＭＲおよびＣＦＰなどのパラメータを含み得る。算出システム６０６は好ましくは、少なくとも１つの中央処理ユニット（ＣＰＵ）６０７と不揮発性ストレージ６０９とを備え、不揮発性ストレージ６０９は、読出し専用メモリ（ＲＯＭ）および／またはディスクストレージ（示されていない）を備え得る。不揮発性ストレージ６０９は、表示パラメータ（座標、色、その他など）を算出するためのコンピュータ読取り可能な命令を含み、データを描画システム６０８に伝達する。コンピュータ読取り可能な命令の実行から生じる計算の結果を格納するために、ランダムアクセスメモリ６１１が使用され得る。描画システム６０８は、グラフィクス処理ユニット６３４とディスプレイ６３６とを備え得る。ディスプレイ６３８は、例えば、ＬＣＤ、プラズマ、またはプロジェクタなど、任意の適合した技術のものであり得る。
【００９０】
算出システム６０６はデータ通信ネットワーク６５０に接続され、これによって、６６０および６６２として参照される、システム６００に類似の他拠点での他のシステムと通信することを可能にする。このようにして、地理的に分散した拠点が環境データを共有し得る。例えば、図５に示されるように、ブラジル、中国、およびイタリアからのデータが描画システム６０８によって表示される。一実施形態において、データ通信ネットワークはインターネットを含む。別の実施形態において、通信ネットワークとして専用ＷＡＮが使用される。
【００９１】
図７は、本発明の一実施形態に従った方法を実行するためのプロセスステップを示すフローチャート７００である。プロセスステップ７７２において、データ入手サブシステム（図１の１０４）を介して、または集成されたデータ（図１の１０２）を介して、そのいずれかによってＥＰＩデータが収集される。プロセスステップ７７４において、各ＥＰＩの重要度がランク付けされる。このステップは、動的セクタＧＰＩが使用される場合にセクタサイズを決定するために使用される。固定セクタＧＰＩが使用される場合、プロセスステップ７７４はオプションである。プロセスステップ７７６において、本開示において前記で開示されたランキングの式に基づいて、セクタサイズが算出される。固定セクタＧＰＩが使用される場合、プロセスステップ７７６はスキップされ得る。プロセスステップ７７８において、各セクタの影付き面積が算出される。プロセスステップ７８０において、対応するＧＰＩが描画される。プロセスステップ７８２において、報告が生成される。この報告は、複数のプラントについてのＬＥＥを表わすＧＰＩチャートと、１つ以上の製品についてのＧＥＥと、２つ以上の製品またはプロセスを比較するためのＰＥＥとを含み得るが、これらに限定されない。図５に示される図形的な形式に追加して、数値データもまた報告内に提示され得る。数値データは、各ＥＰＩについての生の値および／または正規化された値を含み得る。さらには、時間経過に伴った各ＥＰＩの数値は、表形式で、または、表計算プログラムにインポートされてグラフ化され得るようにＣＳＶ（コンマ区切りの値）などの共通データ形式で提示され得る。
【００９２】
図８は、本発明の一実施形態によって生成される数値報告８００の例を示す。報告８００は３つの列を備える。列８８２は、様々なＥＰＩ（ＣＦＰ、ＥＰＣ、ＮＧＣ、ＷＦＰ、ＲＰＲ、ＢＭＲ）を示す。列８８４は、所与の年について算出された各ＥＰＩの正規化された値を示す。列８８６は、異なる年について算出された各ＥＰＩの正規化された値を示す。このようにして、各個別のＥＰＩの傾向が簡便に審査および解析され得る。
【００９３】
本発明は、特定の好ましい一実施形態または複数の実施形態に対して示され記載されてきたが、本明細書および添付の図面の読解によって、特定の等価な変更および改変が当業者に生じるであろう。特に、上述の構成部分（アセンブリ、デバイス、回路、その他）によって実行される様々な機能に関して、このような構成部分を記載するために使用された用語（「手段」に対する参照を含む）は、別途指示されない限り、記載された構成部分の特定された機能（つまり、それが機能的に等価）を実行する任意の構成部分に対応することが意図され、このことは、本明細書において図示された本発明の例示的な実施形態において機能を実行する開示の構造に対して、たとえ構造的に等価ではなくても同様である。さらに、本発明の特定の特徴がいくつかの実施形態のうちの唯一に関して開示され得たとき、このような特徴は、任意の所与または特定の出願にとって望ましく、かつ有利であり得るように、他の実施形態の１つ以上の特徴と結合され得る。
【符号の説明】
【００９４】
１００、６００  システム
１０２、６０２  集成されたデータ
１０４  データ入手サブシステム
１０６、６０６  算出システム
１０８、６０８  描画システム
２００、３００、４００、５０２Ａ、５０２Ｂ、５０２Ｃ、５０４、５０６  図形的プロセス指標（ＧＰＩ）
２０２、３０２、４０２  セクタ
５００  コンピュータディスプレイ
６０４  データ入手システム
６２２  水量メータ
６２４  電気メータ
６２６  天然ガスメータ
６０７  中央処理ユニット（ＣＰＵ）
６０９  不揮発性ストレージ
６１１  ランダムアクセスメモリ
６３４  グラフィクス処理ユニット
６３６  ディスプレイ
６５０  データ通信ネットワーク
６６０、６６２  他のシステム
７００  フローチャート
７７２、７７４、７７６、７７８、７８０、７８２  プロセスステップ
８００  報告
８８２、８８４、８８６  列
【図１】
2011129119.tif 000010
【図２】
2011129119.tif 000011
【図３】
2011129119.tif 000012
【図４】
2011129119.tif 000013
【図５】
2011129119.tif 000014
【図６】
2011129119.tif 000015
【図７】
2011129119.tif 000016
【図８】
2011129119.tif 000017